(57)【要約】【課題】  プリントヘッド本体とプリント媒体との間の隙間に風或いは空気の乱流等が流入して液滴の飛行曲がり等が発生するという事態を可及的に回避すると共に、風或いは空気の乱流によってプリントヘッド本体に付着している異物が飛散してプリント直後の媒体に付着残留するという事態をも可及的に回避する。【解決手段】  ガラス基板等のプリント媒体が載置されるテーブル３と、その上方に保持されたプリントヘッド本体２との相対移動時に、プリントヘッド本体２のノズル面2aからプリント用液が吐出するように構成されたインクジェット式プリント装置１において、プリントヘッド本体２のノズル面2a側に、相対移動方向に延びてプリントヘッド本体２から張り出すカバー板４を装着すると共に、カバー板４の相対移動方向の一端または両端に、相対移動方向中央部側に移行するに連れてプリントヘッド本体２のノズル面2aと反対側に向かうように傾斜する傾斜面5aを有する第１風向変換部５を形成する。【選択図】図１
2005205785.tif 000002
【特許請求の範囲】
【請求項１】
プリント媒体に対してプリントヘッド本体が相対移動可能に保持され、その相対移動時に前記プリントヘッド本体のノズル面からプリント用液が吐出するように構成された風対策機能付きインクジェット式プリント装置において、
前記プリントヘッド本体のノズル面側に、相対移動方向に延びて該プリントヘッド本体から張り出すカバー板を装着すると共に、該カバー板の相対移動方向の一端または両端に、相対移動方向中央部側に移行するに連れて該プリントヘッド本体のノズル面と反対側に向かうように傾斜する傾斜面を有する第１風向変換部を形成したことを特徴とする風対策機能付きインクジェット式プリント装置。
【請求項２】
前記カバー板におけるプリントヘッド本体の周辺領域を除外した部位に、前記第１風向変換部を形成したことを特徴とする請求項１に記載の風対策機能付きインクジェット式プリント装置。
【請求項３】
テーブル上にプリント媒体を載置した状態で、その上方にプリントヘッド本体が前記テーブルに対して相対移動可能に保持され、その相対移動時に前記プリントヘッド本体のノズル面からプリント用液が吐出するように構成された風対策機能付きインクジェット式プリント装置において、
前記テーブルの相対移動方向の一端または両端に、相対移動方向中央部側に移行するに連れて該テーブルの上面から遠ざかるように傾斜する傾斜面を有する第２風向変換部を形成したことを特徴とする風対策機能付きインクジェット式プリント装置。
【請求項４】
前記プリントヘッド本体のノズル面側に、相対移動方向に延びて該プリントヘッド本体から張り出すカバー板を装着すると共に、該カバー板の相対移動方向の一端または両端に、相対移動方向中央部側に移行するに連れて該プリントヘッド本体のノズル面と反対側に向かうように傾斜する傾斜面を有する第１風向変換部を形成したことを特徴とする請求項３に記載の風対策機能付きインクジェット式プリント装置。
【請求項５】
前記カバー板におけるプリントヘッド本体の周辺領域を除外した部位に、前記第１風向変換部を形成したことを特徴とする請求項４に記載の風対策機能付きインクジェット式プリント装置。
【請求項６】
複数のプリントヘッド本体が千鳥状に配列され、その全てのプリントヘッド本体に亘って一枚のカバー板が装着されていることを特徴とする請求項１、２、４、５の何れかに記載の風対策機能付きインクジェット式プリント装置。
【発明の詳細な説明】
【技術分野】
【０００１】
本発明は、風対策機能付きインクジェット式プリント装置に係り、より詳しくは、プリントヘッド本体から噴出される液滴の噴出直進性等を好適に確保できるように構成された風対策機能付きインクジェット式プリント装置に関する。
【背景技術】
【０００２】
近年においては、紙等からなるプリント媒体にインクによる印刷を行なう場合、液晶表示器等の基板（透明基板）からなるプリント媒体上に配向膜の形成やＵＶインクの塗布を行なう場合、或いは有機ＥＬ表示器の基板からなるプリント媒体上にカラーフィルタを塗布する場合等には、インクジェット式のプリント装置が広く採用されるに至っている。
【０００３】
この種のインクジェット式プリント装置（配向膜形成装置や塗布装置等を含む。以下同様。）としては、プリント媒体に対してプリントヘッド本体が相対移動可能に保持されるタイプや、テーブル上にプリント媒体を載置した状態で、その上方にプリントヘッド本体がテーブルに対して相対移動可能に保持されるタイプのもの等が存在する。これらのプリント装置は、プリントヘッド本体の相対移動時に、プリントヘッド本体のノズル面（一または複数の吐出ノズルが形成された面）とプリント媒体との間の隙間、つまりプリント用液の液滴が噴出通過する隙間に、相対移動に伴う風（空気流）が発生し、この風が原因となって、プリント媒体上に均一な薄膜が形成されず、或いは液滴が正確な位置に滴下されなくなる等の不具合を招く。
【０００４】
具体的には、例えば図４に示すように、ノズル面2aが下方を指向する複数のプリントヘッド本体２のみが矢印Ａ方向（前方向）に移動するタイプ、またはプリント媒体を上面に載置させるテーブル３のみが上記とは逆向きの矢印Ｂ方向（後方向）に移動するタイプ、もしくはプリントヘッド本体２とテーブル３との双方がそれぞれ矢印Ａ及びＢ方向に移動するタイプのプリント装置１においては、プリントヘッド本体２の前面壁2x及び後面壁2yが原因となって、矢印Ｅで示す風や、矢印Ｆで示す空気の乱流が発生する。そして、これらの風Ｅや乱流Ｆは、プリントヘッド本体２とテーブル３との間の隙間に流入して、プリントヘッド本体２のノズル面2aから吐出される液滴に飛行曲がり等を生じさせる。特に、図示のように、プリントヘッド本体２が相対移動方向に複数配列されていると、上下方向の乱流Ｆの発生が促進され、この乱流Ｆが上記の隙間に巻き込まれることによって、液滴の飛行曲がり等の不具合が一層顕著となる。
【０００５】
この場合、図５に平面視で示すように、複数のプリントヘッド本体２が千鳥状に配列されるタイプのプリント装置１では、横方向の乱流Ｇつまり水平旋回するような乱流が発生し、この乱流Ｇがプリントヘッド本体２とテーブル３との間の隙間に巻き込まれるという事態も生じ得ることになり、この場合にも液滴の不当な飛行曲がり等が発生する。
【０００６】
更に、これらのプリント装置では、図６に示すように、プリントヘッド本体２とテーブル３とのギャップが原因となって、テーブル３がプリントヘッド本体２に矢印Ｈで示す風を押し付けることになる。そして、この押し付けられた風Ｈは、プリントヘッド本体２とテーブル３との間の隙間に流入することになり、これによっても液滴の飛行曲がり等が促進される。
【０００７】
以上のように、プリントヘッド本体２とテーブル３とが相反する方向に移動して発生した風Ｅ、Ｈや乱流Ｆ、Ｇの影響を受けて、液滴の飛行曲がり等が発生することにより、プリント媒体上に形成される薄膜の厚みが不均一となったり、或いはプリント媒体上への液滴の着弾位置精度が悪化する等の不具合を招く。このような不具合は、プリントヘッド本体２とテーブル３との双方が移動する場合のみならず、何れか一方のみが移動する場合にも、同様に生じ得るものである。
【０００８】
以上のような基本的な不具合を回避すべく創案された装置として、例えば下記の特許文献１によれば、プリントヘッド本体（同文献ではプリントカートリッジ）を覆うキャリッジシェルと、該キャリッジシェルからプリントヘッド本体のノズル面と平行に走査軸方向に延びるキャリッジスカートとを備えたインクジェット式プリント装置が開示されている。このような構成によれば、キャリッジスカートの存在により、風や空気の乱流がプリントヘッド本体とプリント媒体との間の隙間に流入することを幾分かは阻止することが期待できる。
【０００９】
また、他の例として、下記の特許文献２によれば、プリント媒体である記録紙の下方に、インク吐出発生手段を有する基板（プリントヘッド本体の一部に相当する）をノズル面が上向きとなるように配置し、この基板の相対移動方向の両端部下面に中央部側が下側寄りとなる傾斜面を形成したプリント装置が開示されている。このような構成によれば、キャリッジ（プリントヘッド本体に相当する）の相対移動に伴って発生する空気流が、基板及び記録紙の相互間における液滴吐出用の隙間と、基板の傾斜面に沿う方向とに分岐されるため、液滴吐出用の隙間に流入する空気流の量を半減させることが期待できる。
【００１０】
【特許文献１】特開２００２−３６１８５８号公報
【特許文献２】特開平９−７６５２４号公報
【発明の開示】
【発明が解決しようとする課題】
【００１１】
上記の特許文献１に開示されたインクジェット式プリント装置は、キャリッジスカートによって、風や空気の乱流がプリントヘッド本体とプリント媒体との間の隙間に流入することを幾分か阻止できるに留まり、プリントヘッド本体が相対移動した場合には、キャリッジシェルの胴部が空気に直接衝突して、風或いは空気の乱流を発生させ得ることになる。
【００１２】
そして、このように風等が発生した場合には、キャリッジスカートが設けられていても、プリントヘッド本体とプリント媒体との間の隙間に空気流が巻き込まれるおそれがあり、液滴の飛行曲がり等の不具合を完全には回避し得ないことになる。しかも、上記のように風等が発生すれば、キャリッジシェルの胴部やキャリッジシェルとキャリッジスカートとの連結部周辺に付着している埃等の異物が、空気流に乗って舞い上がり、プリント直後の乾燥していないプリント媒体の表面に付着残留してしまい、プリントの品位低下と招くという問題がある。
【００１３】
一方、上記特許文献２に開示されたインクジェット式プリント装置は、プリントヘッド本体とプリント媒体との間の隙間に流入する空気流の量を半減させることができるに留まり、依然として当該隙間に空気流が流入するため、液滴の飛行曲がり等の不具合を完全に回避することは不可能である。更に、このプリント装置においても、キャリッジが相対移動した場合には、キャリッジの胴部が空気に直接衝突して、風或いは空気の乱流を発生させ得ることになる。したがって、この場合にも、キャリッジの胴部に付着している埃等の異物が、プリント直後の乾燥していないプリント媒体の表面に付着残留するという事態を招来し、プリントの品位低下と招くという問題がある。
【００１４】
なお、テーブル上にプリント媒体を載置した状態で、その上方にプリントヘッド本体がテーブルに対して相対移動可能に保持されるタイプのインクジェット式プリント装置では、上述のような不具合に対処すべく、テーブルに改良を加えるという技術的思想は、従来において存在しておらず、適切な対応が望まれているのが実情である。
【００１５】
本発明は、上記事情に鑑みてなされたものであり、プリントヘッド本体とプリント媒体との間の隙間に風或いは空気の乱流等が流入して液滴の飛行曲がり等が発生するという事態を可及的に回避すると共に、風或いは空気の乱流によってプリントヘッド本体に付着している異物が飛散してプリント直後の媒体に付着残留するという事態をも可及的に回避することを技術的課題とする。
【課題を解決するための手段】
【００１６】
上記技術的課題を解決するためになされた本発明は、プリント媒体に対してプリントヘッド本体が相対移動可能に保持され、その相対移動時に前記プリントヘッド本体のノズル面からプリント用液が吐出するように構成された風対策機能付きインクジェット式プリント装置において、前記プリントヘッド本体のノズル面側に、相対移動方向に延びて該プリントヘッド本体から張り出すカバー板を装着すると共に、該カバー板の相対移動方向の一端または両端に、相対移動方向中央部側に移行するに連れて該プリントヘッド本体のノズル面と反対側に向かうように傾斜する傾斜面を有する第１風向変換部を形成したことを特徴とするものである。
【００１７】
ここで、カバー板は、プリントヘッド本体のノズル面が露出するように装着する必要があることは言うまでもないが、その場合に、ノズル面が、カバー板の裏面（プリント媒体と対向する面）から突出している場合及び窪んでいる場合の何れであっても、その両者の段差が０．５ｍｍ以内であることが好ましく、より好ましくは、カバー板の裏面とノズル面とが面一もしくは略面一とされる。また、プリントヘッド本体またはカバー板が双方向に相対移動する場合を対象とするならば、カバー板の相対移動方向の両端に第１風向変換部を形成することが好ましく、これとは別に、プリントヘッド本体またはカバー板が一方向にのみ相対移動する場合を対象とするならば、カバー板における空気と直接衝突する側の一端のみに第１風向変換部を形成することが好ましい。なお、カバー板は、プリントヘッド本体の外周囲に隙間なく装着されていることが好ましいが、１ｍｍ以内の隙間であれば存在していても良い。
【００１８】
このような構成によれば、プリントヘッド本体がノズル面からプリント用液（例えばインク）を吐出しながらプリント媒体に対して相対移動する際には、カバー板の第１風向変換部の傾斜面に空気が衝突する。その場合に、第１風向変換部の傾斜面は、カバー板の相対移動方向中央部側に移行するに連れてプリントヘッド本体のノズル面と反対側に向かうように傾斜しているので、この傾斜面に衝突した空気は、プリントヘッド本体のノズル面側（基端側）に向かって流れることなく、プリントヘッド本体のその反対側（先端側）に向かって流れる。このような作用が行なわれることにより、第１風向変換部の傾斜面に空気が衝突して発生した風が、プリントヘッド本体とプリント媒体との間の隙間に巻き込まれて流入する等の不具合が回避されると共に、空気がプリントヘッド本体の胴部に衝突するという事態が生じなくなり或いは軽減されるため、空気の乱流の発生確率が大幅に減少する。この結果、プリントヘッド本体のノズル面から吐出された液滴の飛行曲がり等の吐出不良が生じ難くなり、薄膜の膜厚均一化等に寄与できると共に、プリントヘッド本体の胴部、特にプリントヘッド本体の胴部のノズル面側に埃等の異物が付着していても、この異物が風や空気の乱流によって飛散してプリント直後の乾いていないプリント媒体上に付着残留するという事態が可及的に回避され、プリント品位の向上が図られる。この場合、傾斜面の傾斜角度は、該傾斜面に空気が衝突して発生した風が、プリントヘッド本体に直接当たらないような角度とすることが好ましい。
【００１９】
上記の構成において、カバー板におけるプリントヘッド本体の周辺領域を除外した部位に、前記第１風向変換部を形成することが好ましい。
【００２０】
このようにすれば、プリントヘッド本体の周辺領域におけるノズル面側に向かって空気が流れるという事態が、第１風向変換部の傾斜面の作用によって好適に阻止されるため、カバー板上、特にカバー板のプリントヘッド本体周辺上に埃等の異物が付着していても、この異物が風や空気の乱流によって飛散してプリント直後の乾いていないプリント媒体上に付着残留するという事態が可及的に回避される。
【００２１】
また、上記技術的課題を解決するためになされた本発明は、テーブル上にプリント媒体を載置した状態で、その上方にプリントヘッド本体が前記テーブルに対して相対移動可能に保持され、その相対移動時に前記プリントヘッド本体のノズル面からプリント用液が吐出するように構成された風対策機能付きインクジェット式プリント装置において、前記テーブルの相対移動方向の一端または両端に、相対移動方向中央部側に移行するに連れて該テーブルの上面から遠ざかるように傾斜する傾斜面を有する第２風向変換部を形成したことを特徴とするものである。
【００２２】
この場合、プリントヘッド本体がテーブルに対して双方向に相対移動するならば、テーブルの相対移動方向の両端に第２風向変換部を形成することが好ましく、これとは別に、プリントヘッド本体がテーブルに対して一方向にのみ相対移動するならば、テーブルにおける空気と直接衝突する側の一端のみに第２風向変換部を形成することが好ましい。
【００２３】
このように、プリントヘッド本体と、プリント媒体を載置させるテーブルとを備えたインクジェット式プリント装置においても、プリントヘッド本体がノズル面からプリント用液を吐出しながらテーブルに対して相対移動する際には、テーブルの第２風向変換部における傾斜面に空気が衝突する。その場合に、第２風向変換部の傾斜面は、テーブルの相対移動方向中央部側に移行するに連れて該テーブルの上面から遠ざかるように傾斜しているので、この傾斜面に衝突した空気は、プリントヘッド本体とプリント媒体との間の隙間から遠ざかる方向に向かって流れる。したがって、傾斜面に空気が衝突して発生した風が、プリントヘッド本体とプリント媒体との間の隙間に巻き込まれて流入し、液滴の飛行曲がりを生じさせる等の不具合が回避される。
【００２４】
このインクジェット式プリント装置のように、プリントヘッド本体と、プリント媒体を載置させるテーブルとを備えた構成においても、プリントヘッド本体のノズル面側に、相対移動方向に延びて該プリントヘッド本体から張り出すカバー板を装着すると共に、該カバー板の相対移動方向の一端または両端に、相対移動方向中央部側に移行するに連れて該プリントヘッド本体のノズル面と反対側に向かうように傾斜する傾斜面を有する第１風向変換部を形成することが好ましい。
【００２５】
このようにすれば、テーブルに空気が衝突することによって発生する風の悪影響を上記の如く回避した上で、プリントヘッド本体側についても、既に述べたように、風や空気の乱流による悪影響を回避することができる。
【００２６】
また、これと同様の基本構成のインクジェット式プリント装置においても、カバー板におけるプリントヘッド本体の周辺領域を除外した部位に、前記第１風向変換部を形成することが好ましい。
【００２７】
このようにすれば、プリントヘッド本体側について、上記のように、風や空気の乱流による悪影響を単に回避できるのみならず、既に述べたように、プリントヘッド本体の周辺領域におけるノズル面側に向かって空気が流れるという事態が好適に阻止され、カバー板上、特にカバー板のプリントヘッド本体周辺上に付着し得る埃等の異物による悪影響が回避される。
【００２８】
以上のプリントヘッド本体側の構成においては、複数のプリントヘッド本体が千鳥状に配列されて、その全てのプリントヘッド本体に亘って一枚のカバー板が装着されていることが好ましい。
【００２９】
このようにすれば、一枚のカバー板の一端または両端に形成されている第１風向変換部の傾斜面の作用によって、複数のプリントヘッド本体が千鳥状に配列されている場合における横方向の空気の乱流発生が抑制されるのみならず、カバー板を一枚で構成できるため、構成の簡素化やコストの低廉化等が図られる。
【発明の効果】
【００３０】
以上のように本発明に係る風対策機能付きインクジェット式プリント装置によれば、プリントヘッド本体がノズル面からプリント用液を吐出しながらプリント媒体に対して相対移動する際に、カバー板の風向変換部の傾斜面に空気が衝突することにより発生した風は、プリントヘッド本体とプリント媒体との間の隙間に巻き込まれる等の不具合が回避されると共に、空気がプリントヘッド本体の胴部に衝突するという事態が生じなくなり或いは軽減されるため、空気の乱流の発生確率が大幅に減少する。これにより、液滴の飛行曲がり等の吐出不良が有効に回避されるばかりでなく、プリントヘッド本体の胴部、特にプリントヘッド本体の胴部のノズル面側に埃等の異物が付着していても、この異物が風や空気の乱流によって飛散してプリント直後の乾いていないプリント媒体上に付着残留するという事態が可及的に回避され、プリント品位の向上が図られる。
【発明を実施するための最良の形態】
【００３１】
以下、本発明の実施形態に係る風対策機能付きインクジェット式プリント装置（以下、単にプリント装置という）を添付図面を参照して説明する。図１は、本発明の第１実施形態に係るプリント装置を示す概略側面図、図２は、本発明の第２実施形態に係るプリント装置を示す概略平面図、図３は、本発明の第３実施形態に係るプリント装置を示す概略側面図である。なお、図１〜図３及びこれらに基づく以下の説明において、図４〜図６に示す従来例と共通の構成要件については、同一符号を使用する。また、図１〜図３に示すプリント装置は、何れも、テーブル３が固定保持されて、プリントヘッド本体２のみが移動するタイプのプリント装置１、または、プリントヘッド本体２が固定保持されて、テーブル３のみが移動するタイプのプリント装置１を示すものであるが、以下においては、便宜上、プリントヘッド本体２とテーブル３との双方が移動する態様として説明する。
【００３２】
図１に示すように、本発明の第１実施形態に係るプリント装置１（例えば配向膜形成装置）は、矢印Ａ方向（前方向）に移動するプリントヘッド本体２が、その移動方向に複数（図例では２個または２列）配列されている。また、これらのプリントヘッド本体２の下方には、所定の隙間を介在させて、液晶ディスプレイ等のガラス基板でなるプリント媒体（図示略）を上面に載置させる単一のテーブル３が、上記とは逆向きの矢印Ｂ方向（後方向）に移動するように配備されている。
【００３３】
そして、プリントヘッド本体２のノズル面2a側には、プリントヘッド本体２の前後方向（相対移動方向）に延びて複数のプリントヘッド本体２から前後方向に張り出すカバー板４が装着されると共に、このカバー板４の裏面（プリント媒体と対向する側の面）は、ノズル面2aと面一もしくは略面一とされている。なお、プリントヘッド本体２のノズル面2aには、一又は複数の吐出ノズルが配設されている。
【００３４】
更に、このカバー板４の前後方向両端にはそれぞれ、カバー板４の前後方向中央部側に移行するに連れてプリントヘッド本体２の上方側に向かうように傾斜する傾斜面5aを有する第１風向変換部５が形成されている。そして、この双方の第１風向変換部５は、プリントヘッド本体２の周辺領域4Sを除外した部位に形成されている。この実施形態における第１風向変換部５は、カバー板４の前後方向両端部を折り曲げることにより形成されている。
【００３５】
また、テーブル３の前後方向両端には、テーブル３の前後方向中央部側に移行するに連れて下方に向かうように傾斜する傾斜面6aを有する第２風向変換部６が形成されている。この第２風向変換部６の上面は、テーブル３の上面と面一もしくは略面一とされると共に、その前後方向中央部側の端部6bは、テーブル３の下面よりも下方に突出している。
【００３６】
このような構成を備えた第１実施形態に係るプリント装置１によれば、プリントヘッド本体２が矢印Ａ方向に移動し、またはプリント媒体を載置しているテーブル３が矢印Ｂ方向に移動する際には、プリントヘッド本体２のノズル面2aからプリント用液（例えば配向膜形成用の膜材料）が吐出され、その液滴がプリント媒体の上面に着弾していく。
【００３７】
このような動作が行なわれている場合に、プリントヘッド本体２側においては、カバー板４の前端に形成された第１風向変換部５の傾斜面5aに空気が衝突するが、この空気の衝突により発生した風は、傾斜面5aの作用により矢印Ｃで示すように斜め上方に巻き上げられる。したがって、この衝突により発生した風Ｃが、プリントヘッド本体２とテーブル３上のプリント媒体との間の隙間Ｓに巻き込まれる等の不具合が回避され、プリントヘッド本体２のノズル面2aから吐出された液滴に飛行曲がりが生じ難くなり、液滴のプリント媒体上への着弾位置精度が極めて良好になる。
【００３８】
加えて、空気がプリントヘッド本体２の胴部に衝突するという事態が生じなくなり、或いは空気が衝突したとしてもプリントヘッド本体２の上部の僅かな領域への衝突に留まるため、空気の乱流の発生確率が大幅に減少する。この結果、プリントヘッド本体２の胴部、特にプリントヘッド本体２の胴部のノズル面2a側に埃等の異物が付着していても、この異物が風や空気の乱流によって飛散してプリント直後の乾いていないプリント媒体上に付着残留するという事態が可及的に回避され、プリント品位の向上が図られる。
【００３９】
しかも、第１風向変換部５は、カバー板４におけるプリントヘッド本体２の周辺領域4Sを除外した部位に形成されていることから、プリントヘッド本体２の周辺領域4Sに向かって空気が流れるという事態が好適に阻止され、カバー板４におけるプリントヘッド本体２の周辺領域4S上に埃等の異物が付着していても、この異物が風や空気の乱流によって飛散してプリント直後の乾いていないプリント媒体上に付着残留するという事態が可及的に回避され、これによってもプリント品位の向上が図られる。
【００４０】
一方、テーブル３側においては、テーブル３の後端に形成された第２風向変換部６の傾斜面6aに空気が衝突するが、この空気の衝突により発生した風は、傾斜面6aの作用により矢印Ｄで示すように斜め下方に押し下げられる。したがって、この衝突により発生した風Ｄが、プリントヘッド本体２とテーブル３上のプリント媒体との間の隙間Ｓに巻き込まれる等の不具合が回避され、これによっても、プリントヘッド本体２のノズル面2aから吐出された液滴に飛行曲がりが生じ難くなり、液滴のプリント媒体上への着弾位置精度がより一層良好になる。
【００４１】
図２に示す本発明の第２実施形態に係るプリント装置１は、複数のプリントヘッド本体２が複列で千鳥状に配設され、これらのプリントヘッド本体２のノズル面側に一枚のカバー板４が装着されている。このカバー板４のプリントヘッド本体２に対する装着状態は、上述の第１実施形態と同一である。また、カバー板４の前後方向両端にはそれぞれ、上述の第１実施形態と同様の傾斜面5aを有する第１風向変換部５が形成されると共に、テーブル３の前後方向両端にもそれぞれ、上述の第１実施形態と同様の傾斜面6aを有する第２風向変換部６が形成されている。なお、図２においては、上述の第１実施形態と共通の構成要件について、同一符号を付している。
【００４２】
この第２実施形態に係るプリント装置１によれば、プリントヘッド本体２とテーブル３との何れか一方が、矢印Ａ方向または矢印Ｂ方向に移動した際には、上述の第１実施形態に係るプリント装置１と同様の作用効果を奏することに加えて、複数のプリントヘッド本体２を千鳥状に配設したが故に従来生じていた図２に鎖線の矢印で示す横方向の空気の乱流が、発生しなくなり或いはその発生確率が激減する。これにより、プリントヘッド本体２の胴部やカバー板４上に付着している異物が、空気の乱流により舞い上げられた後に、プリント直後の乾いていないプリント媒体上に落下して付着残留するという事態が可及的に回避される。
【００４３】
図３に示す本発明の第３実施形態に係るプリント装置１は、カバー板４の前後方向両端に形成される第１風向変換部５が、カバー板４を折り曲げたものではなく、断面が三角形のブロック体をカバー板４に固定したものである。その他の構成は、上述の第１実施形態と同一であるので、図３において、上述の第１実施形態と共通の構成要件については同一符号を付し、その説明を省略する。そして、この第３実施形態に係るプリント装置１においても、上述の第１実施形態に係るプリント装置１と同様の作用効果を奏する。
【００４４】
なお、以上の実施形態は、プリントヘッド本体２とテーブル３との何れか一方のみが移動するタイプのプリント装置１に本発明を適用したが、これとは別に、プリントヘッド本体２とテーブル３との双方が移動するタイプのプリント装置にも、同様に本発明を適用することが可能である。
【００４５】
また、以上の実施形態では、プリントヘッド本体２の下方にプリント媒体を載置させるテーブル３を配設したプリント装置１に本発明を適用したが、そのようなテーブル３を有さずに、プリントヘッド本体２の下方にプリント媒体のみが配設される状態となるプリント装置、或いは、プリントヘッド本体２の上方や側方にプリント媒体のみが配設される状態となるプリント装置にも、同様にして本発明（プリントヘッド本体側のみに係る発明）を適用することが可能である。
【図面の簡単な説明】
【００４６】
【図１】本発明の第１実施形態に係る風対策機能付きインクジェット式プリント装置の全体構成を示す概略側面図である。
【図２】本発明の第２実施形態に係る風対策機能付きインクジェット式プリント装置の全体構成を示す概略平面図である。
【図３】本発明の第３実施形態に係る風対策機能付きインクジェット式プリント装置の全体構成を示す概略側面図である。
【図４】従来例に係るインクジェット式プリント装置を示す概略側面図である。
【図５】従来例に係るインクジェット式プリント装置を示す概略平面図である。
【図６】従来例に係るインクジェット式プリント装置を示す概略側面図である。
【符号の説明】
【００４７】
１  プリント装置（風対策機能付きインクジェット式プリント装置）
２  プリントヘッド本体
2a  ノズル面
３  テーブル
４  カバー板
4S  周辺領域
５  第１風向変換部
5a  第１風向変換部の傾斜面
６  第２風向変換部
6a  第２風向変換部の傾斜面
【図１】
2005205785.tif 000003
【図２】
2005205785.tif 000004
【図３】
2005205785.tif 000005
【図４】
2005205785.tif 000006
【図５】
2005205785.tif 000007
【図６】
2005205785.tif 000008